(57)【特許請求の範囲】
【請求項１】
撮影により得られた映像信号の彩度及び色相の数によって、被写体の撮影シーンとして、色数が所定値より少なくかつ鮮やかなシーンと、色数が所定値より多くかつ鮮やかなシーンを検出する検出手段と、
前記映像信号に対して、前記検出手段により検出された撮影シーンに応じた色補正処理を行う補正手段と、
を有することを特徴とする画像処理装置。
【請求項２】
前記検出手段は、映像信号の彩度が所定の閾値よりも大きい場合に、鮮やかなシーンとして検出することを特徴とする請求項１に記載の画像処理装置。
【請求項３】
前記検出手段は、映像信号のうち彩度が所定の閾値よりも大きい領域が所定の面積より広い場合に、鮮やかなシーンとして検出することを特徴とする請求項１又は２に記載の画像処理装置。
【請求項４】
前記検出手段により前記色数が所定値より多くかつ鮮やかなシーンが検出されたときは、前記補正手段は、前記映像信号の彩度を上げる色補正処理を行うことを特徴とする請求項１乃至３のいずれか１項に記載の画像処理装置。
【請求項５】
前記補正手段は、前記映像信号から取得した色相ヒストグラムの広がりに応じた補正値を用いて前記映像信号の彩度を上げる色補正処理を行うことを特徴とする請求項４に記載の画像処理装置。
【請求項６】
前記検出手段により前記色数が少なくかつ鮮やかなシーンが検出されたときは、前記補正手段は、前記映像信号のうち主となる限定した色相の範囲を広げる色補正処理を行うことを特徴とする請求項１乃至５のいずれか１項に記載の画像処理装置。
【請求項７】
前記補正手段は、前記映像信号から取得した色相ヒストグラムにおける前記主となる限定した色相への集中度が高いほど、前記色補正処理における補正値を大きくすることを特徴とする請求項６に記載の画像処理装置。
【請求項８】
前記検出手段により前記色数が少なくかつ鮮やかなシーンが検出されたときは、前記補正手段は、前記映像信号から取得した色相ヒストグラムの広がりが予め設定した閾値以上になるように色相の範囲を広げる色補正処理を行うことを特徴とする請求項１乃至３のいずれか１項に記載の画像処理装置。
【請求項９】
前記検出手段は、ズーム倍率が小さいほど、前記撮影シーンを検出するための前記彩度及び前記色相の数の閾値をそれぞれ、前記色数が所定値より少なくかつ鮮やかなシーン及び前記色数が所定値より多くかつ鮮やかなシーンが検出されやすくなるように変更することを特徴とする請求項１乃至８のいずれか１項に記載の画像処理装置。
【請求項１０】
前記検出手段は、前記色数が下限値よりも少ない場合には、鮮やかなシーンとして検出しないことを特徴とする請求項１乃至９のいずれか１項に記載の画像処理装置。
【請求項１１】
映像信号を取得する取得手段と、
前記映像信号の彩度及び色数を算出する算出手段と、
前記算出手段によって算出される前記映像信号の彩度が所定値より高く、かつ前記映像信号の色数が所定値より多い場合に、映像信号の彩度を補正し、
前記算出手段によって算出される前記映像信号の彩度が所定値より高く、かつ前記映像信号の色数が所定値より少ない場合に、映像信号のうち主となる限定した色相の範囲を広げるように補正する補正手段と、
を有することを特徴とする画像処理装置。
【請求項１２】
映像信号を取得する取得手段と、
前記映像信号の彩度及び色数を算出する算出手段と、
前記算出手段によって算出される映像信号のうち彩度が所定の閾値よりも大きい領域が所定の面積より広く、かつ前記映像信号の色数が所定値より多い場合に、映像信号の彩度を補正し、
前記算出手段によって算出される映像信号のうち彩度が所定の閾値よりも大きい領域が所定の面積より広く、かつ前記映像信号の色数が所定値より少ない場合に、映像信号のうち主となる限定した色相の範囲を広げるように補正する補正手段と、
を有することを特徴とする画像処理装置。
【請求項１３】
画像処理装置の制御方法であって、
撮影により得られた映像信号の彩度及び色相の数によって、被写体の撮影シーンとして、色数が所定値より少なくかつ鮮やかなシーンと、色数が所定値より多くかつ鮮やかなシーンを検出する検出工程と、
前記映像信号に対して、前記検出工程で検出された撮影シーンに応じた色補正処理を行う補正工程と、
を有することを特徴とする画像処理装置の制御方法。
【請求項１４】
映像信号を取得する取得工程と、
前記映像信号の彩度及び色数を算出する算出工程と、
前記算出工程によって算出される前記映像信号の彩度が所定値より高く、かつ前記映像信号の色数が所定値より多い場合に、映像信号の彩度を補正し、
前記算出工程によって算出される前記映像信号の彩度が所定値より高く、かつ前記映像信号の色数が所定値より少ない場合に、映像信号のうち主となる限定した色相の範囲を広げるように補正する補正工程と、
を有することを特徴とする画像処理装置の制御方法。
【請求項１５】
映像信号を取得する取得工程と、
前記映像信号の彩度及び色数を算出する算出工程と、
前記算出工程によって算出される映像信号のうち彩度が所定の閾値よりも大きい領域が所定の面積より広く、かつ前記映像信号の色数が所定値より多い場合に、映像信号の彩度を補正し、
前記算出工程によって算出される映像信号のうち彩度が所定の閾値よりも大きい領域が所定の面積より広く、かつ前記映像信号の色数が所定値より少ない場合に、映像信号のうち主となる限定した色相の範囲を広げるように補正する補正工程と、
を有することを特徴とする画像処理装置の制御方法。
【請求項１６】
コンピュータを請求項１乃至１２のいずれか１項に記載の画像処理装置が有する各手段として機能させるためのプログラム。
【発明の詳細な説明】
【技術分野】
【０００１】
本発明は、画像処理装置及びその制御方法に関し、特に、画像処理装置の画質補正技術に関する。
【背景技術】
【０００２】
撮像装置の信号処理において、撮影するシーンごとに適正な画質補正は異なる。そのため、ユーザに撮影に用いるシーンモードを複数のモードの中から選択させ、選択されたシーンモードに応じて撮像装置の設定を切り替え、各シーンモードに適した画質補正を行う技術が知られている。
【先行技術文献】
【特許文献】
【０００３】
【特許文献１】特開２００７−２６７１７０号公報
【発明の概要】
【発明が解決しようとする課題】
【０００４】
しかしながら、撮影シーンに応じて適正なシーンモードに切り替えることは、ユーザにとって面倒である。また、特に初心者にとっては、適正なシーンモードを判断するのは困難である。
【０００５】
従来技術として、明るさ検出部、彩度調整部を備え、被写体の明るさ情報に対応する彩度の知覚変化に従って、画像データの彩度を変化させるものがある（特許文献１）。しかし、これは被写体の明るさに応じて彩度を調整するものであり、被写体自体の色が鮮やかであるかや、色味の多いカラフルなものであるかを考慮してはいない。そのため、被写体の色の濃さや色の分布によらず共通の補正がかかるため、単色で鮮やかな被写体や色味が多くカラフルな被写体に対しては、補正が最適でなくなってしまう。例えば、単色で鮮やかな被写体に対して、単純に彩度を上げるだけでは、補正効果は少ない。
【０００６】
そこで本発明は、ユーザの手を煩わせることなく、色鮮やかなシーンに対して適正な画質設定を行うことができる画像処理装置及びその制御方法を提供することを目的とする。
【課題を解決するための手段】
【０００７】
本発明の一側面によれば、撮影により得られた映像信号の彩度及び色相の数によって、被写体の撮影シーンとして、色数が所定値より少なくかつ鮮やかなシーンと、色数が所定値より多くかつ鮮やかなシーンを検出する検出手段と、前記映像信号に対して、前記検出手段により検出された撮影シーンに応じた色補正処理を行う補正手段とを有することを特徴とする画像処理装置が提供される。
【発明の効果】
【０００８】
本発明によれば、ユーザの手を煩わせることなく、色鮮やかなシーンに対して適正な画質設定を行うことができる画像処理装置及びその制御方法が提供される。
【図面の簡単な説明】
【０００９】
【図１】実施形態における撮像装置の構成を示す概略構成図。
【図２】実施形態における撮像装置の概観を示す斜視図。
【図３】実施形態における画像シーンに応じた補正処理を説明する図。
【図４】実施形態における鮮やかシーン判定処理を示すフローチャート。
【図５】実施形態における単色鮮やか処理を示すフローチャート。
【図６】実施形態におけるカラフル鮮やか処理を示すフローチャート。
【図７】（ａ）は実施形態における単色鮮やかシーン検出処理を示すフローチャート、（ｂ）はカラフル鮮やかシーン検出処理を示すフローチャート。
【発明を実施するための形態】
【００１０】
（実施形態１）
図１は、本実施形態における撮像装置の構成を示す概略構成図である。１０１はレンズであり、レンズ１０１の後方には絞り１０２が配置されている。レンズ１０１、絞り１０２を介した光は、イメージセンサ１０５の結像面上に被写体像として結像される。イメージセンサ１０５において、結像された被写体像は光信号から映像信号に変換される。
【００１１】
イメージセンサ１０５により得られた映像信号は、信号処理部１１２に送られる。映像信号は信号処理部１１２において、色補正処理部１０８により色補正処理が施され、ディスプレイ１１６に出力されるか、あるいは、磁気テープ１１５、あるいはＤＶＤディスク１１７、あるいはメモリカード１１８に記録される。また、カメラ情報検出部１１０において、輝度、色などのカメラ情報が検出され、カメラマイコン１１１に送られる。信号処理部１１２における色補正処理以外の処理については、ここでは図示しない。
【００１２】
カメラマイコン１１１は、カメラ情報検出部１１０から得られる、輝度、色などのカメラ情報から、単色で鮮やかなシーンと、色数が多くカラフルなシーンと、それ以外の通常シーンのシーン検出を行い、撮影シーンを判定する。さらに、判定したシーンに基づき色補正値を算出する。そして、算出された色補正値を色補正処理部１０８に設定することで、映像の色補正を行い、映像の色再現性が適正になるように処理する。カメラマイコン１１１による鮮やかシーン判定処理、単色鮮やかシーン検出処理、カラフル鮮やかシーン検出処理、単色鮮やかシーンに対する色補正処理、カラフル鮮やかシーンに対する色補正処理については、後で詳しく述べる。
【００１３】
さらに、カメラマイコン１１１は、イメージセンサ制御部１０６を通じて、イメージセンサ１０５の蓄積、読み出しなどの制御を行う。また、レンズ制御部１０３を通じて、レンズ１０１のフォーカス、ズームなどの制御を行う。また、イメージセンサ１０５から得られる画像データから求められる被写体の輝度情報を用いて、絞り制御部１０４を通じて、絞り１０２の制御を行い、また、イメージセンサ制御部１０６を通じて、シャッタースピードの制御を行うことで、露出制御を行う。また、レンズ制御部１０３を通じてレンズ１０１を駆動するか、あるいは、信号処理部１１２を制御することで、使用者の撮影時の手ぶれを補正する。
【００１４】
図２において撮像装置本体１２０内部には、ＤＶＤディスク、磁気テープおよびメモリカードなどの記録媒体が収納され、映像信号および静止画像を記録再生できるようになっている。１２１はレンズ部である。１２２はマイクロホンであり、撮影時の音声を記録するために備えられている。１２３は電子式ビューファインダ（ＥＶＦ）であり、覗き込むことによりカメラ撮影時に被写体を狙ったり確認したりするために備えられている。１２４は動画用トリガスイッチである。動画用トリガスイッチ１２４は例えばプッシュボタンであり、動画撮影開始および終了を機器に伝達するために使用者が操作するスイッチである。１２５は静止画用トリガスイッチである。静止画用トリガスイッチ１２５は例えばプッシュボタンであり、静止画撮影開始および終了を機器に伝達するために使用者が操作するスイッチである。
【００１５】
１２６はモードダイヤルであり、例えば回転式のスイッチからなる。モードダイヤル１２６では、例えば再生モードに設定する“再生”、カメラモードに設定する“カメラ”およびそのいずれでもない“ＯＦＦ”のいずれかを選択できる。１２７は操作スイッチ群であり、使用者が本体を操作するため、ホワイトバランスモードを入力するためのキーや、その他のメニュー操作や再生系の操作などのためのキーが配置されている。１２８は本体側面に開閉自在となるように取り付けられた液晶パネルであり、ＥＶＦ１２３と同様に、カメラ撮影時には被写体像の確認、再生時には再生画像の表示に主に使用される。液晶パネル１２８は、撮像装置本体１２０から開いている状態で、さらに水平方向にも回転可能になっている。１２９はスピーカであり、再生するときに音声を出力するために設けられている。１３０はバッテリであり、撮像装置本体１２０と着脱可能になっている。
【００１６】
次に本発明の特徴部分である、画像データに施す撮影シーンに応じた画像処理について説明する。本実施形態では、撮像系から取り込まれた画像データに基づいて、この画像データが撮影されたシーンが鮮やかなシーンであるか否かを判定し、判定結果に応じた画像処理を画像データに施す処理を行う。このとき、鮮やかなシーンの中でも色分布が異なると鮮やかさの感じ方が異なることに着目して、得られた画像データの色の分布に応じて異なるシーン判定処理を行い、単色鮮やかシーン、カラフル鮮やかシーンに応じて異なる補正処理を行う。
【００１７】
図３の（ａ）、（ｂ）は共に花を撮影した場合の画像であるが、色の分布の仕方が異なる。（ａ）は様々な色の花を撮影した場合を表しており、画像内に存在する色数が多い。一方、（ｂ）はある色の花を撮影した場合を表しており、画像内に存在する色数が少ない。このような場合、人間の知覚では、（ａ）の色数の多い画像の方が、（ｂ）の色数の少ない画像に比べて同じ彩度でも鮮やかに感じやすく、適切な補正処理が異なる。よって本実施形態では、画像データの撮影されたシーンが単色、カラフルいずれの鮮やかなシーンに当たるかを分類し、分類結果に応じた補正処理を行う。以下、図３（ａ）のように画像中の色数が所定値より多いシーンを「カラフル鮮やかシーン」と呼び、図３（ｂ）のように画像中の色数が所定値より少ないシーンを「単色鮮やかシーン」と呼ぶ。
【００１８】
カメラマイコン１１１による、鮮やかシーン判定処理について、図４のフローチャートを参照して説明する。図４は、本実施形態の鮮やかシーン判定処理を示すフローチャートである。電源が投入されると、カメラマイコン１１１は、鮮やかシーン判定を開始する（Ｓ１０１）。まず、カメラ情報検出部１１０から得られた輝度、色などのカメラ情報を用いて、色数の少ない単色で鮮やかなシーンかどうかの判定を行う（Ｓ１０３）。単色鮮やかシーンであれば、色補正処理部１０８において、色数の少ない単色で鮮やかなシーンに適した色補正処理を施す（Ｓ１０７）。一方、単色鮮やかシーンでない場合には、次に、色味が多くカラフルなシーンかどうかの判定を行う（Ｓ１０５）。カラフル鮮やかシーンと判定されれば、色補正処理部１０８において、色味が多くカラフルなシーンに適した色補正処理を施す（Ｓ１０９）。一方、Ｓ１０５において、カラフル鮮やかシーンでなければ、色補正処理部１０８において、通常の色補正処理を施す（Ｓ１１０）。単色鮮やか処理、および、カラフル鮮やか処理の具体的な補正処理については、後で、詳しく述べる。
【００１９】
次に、本実施形態の撮像装置におけるカメラマイコン１１１による、単色鮮やか処理について、図５のフローチャートを参照して説明する。上述したとおり、カメラマイコン１１１は、Ｓ１０３で単色鮮やかシーンであると判定すると、単色鮮やかシーンに適した色補正処理を開始する（Ｓ１０７）。まず、イメージセンサ１０５から得られた画像の色分布から、主となる色相を取得する（Ｓ１１４）。ここでは、色相ヒストグラムを生成し、度数の一番多い色相を、主となる色相とすることにする。つづいて、色相ヒストグラムにおいて、取得された主となる色相への集中度を取得する（Ｓ１１６）。具体的には、主となる色相と隣接する所定の閾値以上の色相の度数との和が全体の度数に占める割合を算出する。次に、主となる色相への集中度に応じて、色補正処理における色相の範囲を広げる補正値を算出する（Ｓ１１８）。ここで、被写体の色相ヒストグラムの集中度が高いほど、主となる限定した色相の範囲を広げる補正処理の補正値が大きくなるようにする。つづいて、色補正処理部１０８において、算出された補正値に基づき、色相の範囲を広げる色補正処理を行う（Ｓ１２０）。具体的には、ヒストグラムの広がりが予め設定した閾値以上になるように、色相の範囲を広げるものとする。色相を広げる色補正処理は、主となる色相を含む特定の色相に対してのみ、マトリクス演算および色ゲイン補正を施し、特定の色相に含まれる入力信号を色相方向に拡張して出力するように処理する。あるいは，色補正に用いるルックアップテーブルを変更し、主となる色相を含む特定の色相に含まれる入力信号を色相方向に拡張して出力するように処理する。その他、主となる色相への集中度に応じて、色補正処理における色相の範囲を広げる補正値を求めるものであればこれらの処理に限定されない。
【００２０】
次に、本実施形態の撮像装置におけるカメラマイコン１１１による、カラフル鮮やか処理について、図６のフローチャートを参照して説明する。上述したとおり、カメラマイコン１１１は、Ｓ１０５でカラフル鮮やかシーンであると判定すると、カラフル鮮やかシーンに適した色補正処理を開始する（Ｓ１０９）。まず、色相ヒストグラムから色分布の広がりを取得する（Ｓ１２４）。具体的には、所定の彩度閾値（Ｔｈ７）よりも大きい彩度であるブロックが存在する色相の数を算出する。つづいて、取得された色相ヒストグラムの広がりに応じて、色補正処理における彩度アップ補正値を算出する（Ｓ１２６）。すなわち、色相の数が大きいほど、彩度アップ補正値が大きくなる。つづいて、色補正処理部１０８において、算出された補正値に基づき、撮影により得られた映像信号に対し全体の彩度を上げる色補正処理を行う（Ｓ１２８）。
【００２１】
次に、本実施形態の撮像装置におけるカメラマイコン１１１による、単色鮮やかシーン検出処理（Ｓ１０３）、および、カラフル鮮やかシーン検出処理（Ｓ１０５）について、図７のフローチャートを参照して説明する。図７（ａ）、（ｂ）はそれぞれ、Ｓ１０３の単色鮮やかシーン検出処理、および、Ｓ１０５のカラフル鮮やかシーン検出処理の詳細を示すフローチャートである。
【００２２】
電源が投入されると、カメラマイコン１１１は、単色鮮やかシーン検出を開始する（Ｓ１０３）。まず、平均彩度が予め設定された閾値Ｔｈ１より大きいかを判定する（Ｓ１３２）。平均彩度が閾値Ｔｈ１以下の場合には、Ｓ１０５のカラフル鮮やかシーン検出処理に移る。一方、平均彩度が閾値Ｔｈ１より大きい場合には、彩度が予め設定された閾値Ｔｈ２よりも大きい領域（ブロック）が所定の面積（所定のブロック数）より広いかどうかの判断を行う（Ｓ１３４）。彩度が閾値Ｔｈ２よりも大きい領域が所定の面積より広くない場合には、Ｓ１０５のカラフル鮮やかシーン検出処理に移る。
【００２３】
一方、彩度が閾値Ｔｈ２よりも大きい領域が所定の面積より広い場合には、彩度が予め設定された閾値Ｔｈ３よりも大きい色相の数がＣｍｉｎからＣｍａｘの範囲にあるかどうかを判断する（Ｓ１３６）。彩度が閾値Ｔｈ３よりも大きい色相の数がＣｍｉｎからＣｍａｘの範囲にない場合には、Ｓ１０５のカラフル鮮やかシーン検出処理に移る。一方、彩度が閾値Ｔｈ３よりも大きい色相の数がＣｍｉｎからＣｍａｘの範囲内である場合には、ピーク色相領域の全体に対する割合が、予め設定された閾値Ｔｈ４より大きいかを判定する（Ｓ１３８）。ピーク色相領域の全体に対する割合が、閾値Ｔｈ４以下の場合には、Ｓ１０５のカラフル鮮やかシーン検出処理に移る。一方、ピーク色相領域の全体に対する割合が閾値Ｔｈ４より大きい場合には、シーン判定は単色鮮やかシーンとなり、Ｓ１０７の単色鮮やか処理に移行する。
【００２４】
単色鮮やかシーンが検出されなかった場合、Ｓ１０５のカラフル鮮やかシーン検出処理に移る。まず、平均彩度が予め設定された閾値Ｔｈ５より大きいかを判定する（Ｓ１４２）。平均彩度が閾値Ｔｈ５以下の場合には、シーン判定は通常シーンとなり、Ｓ１１０の通常処理に移行する。一方、平均彩度が閾値Ｔｈ５より大きい場合には、彩度が予め設定された閾値Ｔｈ６よりも大きい領域が所定の面積より広いかどうかの判断を行う（Ｓ１４４）。
【００２５】
彩度が閾値Ｔｈ６よりも大きい領域が所定の面積より広くない場合には、シーン判定は通常シーンとなり、Ｓ１１０の通常処理に移行する。一方、彩度が閾値Ｔｈ６よりも大きい領域が所定の面積より広い場合には、彩度が予め設定された閾値Ｔｈ７よりも大きい色相の数がＣよりも大きいかどうかを判断する（Ｓ１４６）。彩度が閾値Ｔｈ７よりも大きい色相の数がＣ以下の場合には、シーン判定は通常シーンとなり、Ｓ１１０の通常処理に移行する。
【００２６】
彩度が閾値Ｔｈ７よりも大きい色相の数がＣよりも大きい場合には、ピーク色相領域の全体に対する割合が、予め設定された閾値Ｔｈ８より小さいかを判定する（Ｓ１４８）。ピーク色相領域の全体に対する割合が閾値Ｔｈ８以上の場合には、シーン判定は通常シーンとなり、Ｓ１１０の通常処理に移行する。一方、ピーク色相領域の全体に対する割合が閾値Ｔｈ８より小さい場合には、シーン判定はカラフル鮮やかシーンとなり、Ｓ１０９のカラフル鮮やか処理に移行する。
【００２７】
以上述べたように、本実施形態の撮像装置は、被写体の色情報を取得し、彩度の高い色相の数によって、色数の多いカラフルなシーンと色数の少ない鮮やかなシーンを検出し、それぞれのシーンに応じた信号処理を施す。これにより、ユーザの手を煩わせることなく、色味が多くカラフルな被写体と単色で鮮やかな被写体をより色彩豊かに撮影することが可能となる。また、色数が少なく単色で鮮やかなシーンにおいて、同系色の微妙な色の違いをより良く再現することが可能となる。
【００２８】
また、本実施形態では、鮮やかシーンであると判別された画像データに対して彩度を上げる、あるいは色相の範囲を広げることで、鮮やかさを強調する処理について述べたが、これに限らない。すなわち、鮮やかなシーンに対して逆に彩度を下げる、あるいは色相の範囲を狭めることで、鮮やかさを抑えるような処理にも適用することができる。
【００２９】
また、上記実施形態では、鮮やかなシーンであるか否かの判定を平均彩度値と高彩度の領域の大きさの２つの情報を基に行ったが、鮮やかシーンの判定方法をこれに限定するものではない。例えば、画像中で最も彩度が高い領域での彩度情報に基づいて鮮やかシーンの判定を行っても良い。
【００３０】
（実施形態２）
本実施形態では、実施形態１における撮像装置におけるカメラマイコン１１１による、単色鮮やかシーン検出処理、および、カラフル鮮やかシーン検出処理を以下のように置き換える。本実施形態の撮像装置におけるカメラマイコン１１１による、単色鮮やかシーン検出処理、および、カラフル鮮やかシーン検出処理について、図６のフローチャートを参照しながら説明する。
【００３１】
実施形態１においては、単色鮮やかシーン検出処理において用いる閾値Ｔｈ１、Ｔｈ２、Ｔｈ３、Ｔｈ４、Ｃｍｉｎ、Ｃｍａｘは、予め設定された定数である場合を説明した。本実施形態においては、閾値Ｔｈ１、Ｔｈ２、Ｔｈ３、Ｔｈ４、Ｃｍｉｎ、Ｃｍａｘは変数であり、撮影時のズームの状態に応じて値が変化する。本実施形態の単色鮮やかシーン検出処理において用いる閾値はそれぞれ、ズームがワイド端の場合、Ｔｈ１ｗ、Ｔｈ２ｗ、Ｔｈ３ｗ、Ｔｈ４ｗ、Ｃｍｉｎｗ、Ｃｍａｘｗとする。一方、ズームがテレ端の場合は、Ｔｈ１ｔ、Ｔｈ２ｔ、Ｔｈ３ｔ、Ｔｈ４ｔ、Ｃｍｉｎｔ、Ｃｍａｘｔとする。また、他のズーム域の場合はそれぞれ、ズーム倍率に応じて、ワイド端とテレ端の閾値の間の値をとる。さらに、実施形態１における閾値Ｔｈ１、Ｔｈ２、Ｔｈ３、Ｔｈ４、Ｃｍｉｎ、Ｃｍａｘとの関係は、以下の通りである。
Ｔｈ１ｗ  ≦  Ｔｈ１  ≦  Ｔｈ１ｔ
Ｔｈ２ｗ  ≦  Ｔｈ２  ≦  Ｔｈ２ｔ
Ｔｈ３ｗ  ≦  Ｔｈ３  ≦  Ｔｈ３ｔ
Ｔｈ４ｗ  ≦  Ｔｈ４  ≦  Ｔｈ４ｔ
Ｃｍｉｎｗ  ＝  Ｃｍｉｎ  ＝  Ｃｍｉｎｔ
Ｃｍａｘｗ  ＝  Ｃｍａｘ  ＝  Ｃｍａｘｔ
【００３２】
また、実施形態１においては、カラフル鮮やかシーン検出処理において用いる閾値Ｔｈ５、Ｔｈ６、Ｔｈ７、Ｔｈ８、Ｃは、予め設定された定数である場合を説明した。本実施形態においては、閾値Ｔｈ５、Ｔｈ６、Ｔｈ７、Ｔｈ８、Ｃは変数であり、撮影時のズームの状態に応じて値が変化する。本実施形態のカラフル鮮やかシーン検出処理において用いる閾値はそれぞれ、ズームがワイド端の場合、Ｔｈ５ｗ、Ｔｈ６ｗ、Ｔｈ７ｗ、Ｔｈ８ｗ、Ｃｗとする。一方、ズームがテレ端の場合は、Ｔｈ５ｔ、Ｔｈ６ｔ、Ｔｈ７ｔ、Ｔｈ８ｔ、Ｃｔとする。また、他のズーム域の場合は、それぞれ、ズーム倍率に応じて、ワイド端とテレ端の閾値の間の値をとる。さらに、実施形態１における閾値Ｔｈ５、Ｔｈ６、Ｔｈ７、Ｔｈ８、Ｃとの関係は、以下の通りである。
Ｔｈ５ｗ  ≦  Ｔｈ５  ≦  Ｔｈ５ｔ
Ｔｈ６ｗ  ≦  Ｔｈ６  ≦  Ｔｈ６ｔ
Ｔｈ７ｗ  ≦  Ｔｈ７  ≦  Ｔｈ７ｔ
Ｔｈ８ｗ  ≦  Ｔｈ８  ≦  Ｔｈ８ｔ
Ｃｗ  ＝  Ｃ  ＝  Ｃｔ
【００３３】
そして、本実施形態では、ズーム倍率に応じて、これらシーン検出の閾値を変更する。具体的には、撮影時のズームがワイド側であるほど、すなわちズーム倍率が小さいほど、閾値をそれぞれ、単色鮮やかシーン又はカラフル鮮やかシーンが検出されやすくなるように変更する。これにより、ズームがワイド側になり鮮やかなシーンとして検出されにくくなってしまう点や、逆に、ズームがテレ側になり鮮やかなシーンとして検出されすぎてしまう点を防ぐことができる。なお、撮影時のズームの状態に応じて、シーン検出の閾値が変化すること以外は、実施形態１の単色鮮やかシーン検出処理、および、カラフル鮮やかシーン検出処理と同様である。
【００３４】
以上述べたように、ズーム倍率に応じて、鮮やかなシーンの検出の閾値を変えることで、ズーム操作に対して、鮮やかなシーンに対する色補正の変化をよりなめらかに追従させることが可能となる。
【００３５】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005462925.tif 000002
【図２】
0005462925.tif 000003
【図３】
0005462925.tif 000004
【図４】
0005462925.tif 000005
【図５】
0005462925.tif 000006
【図６】
0005462925.tif 000007
【図７】
0005462925.tif 000008